(57)【要約】【課題】吸収性物品に対する愛着を向上させやすくなる吸収性物品包装体のパッケージを提供することを目的とする。【解決手段】生理用ナプキン、パンティーライナー、又は吸収パッドである吸収性物品（１）が包装材で包装された状態の吸収性物品包装体（１０）と、吸収性物品包装体を収容する袋体（１０１）と、を有する吸収性物品包装体のパッケージ（１００）であって、吸収性物品包装体（１０）は動物図柄（ｍ、５）を有し、袋体は、ある面に、透明部分（Ｘ）、不透明部分（Ｙ）及び動物図柄（ｍ、５）と同じ種類の動物の袋体動物図柄（Ａ１、Ａ２）とを有し、袋体動物図柄（Ａ１、Ａ２）が、透明部分（Ｘ）と重なっているように視認される部分と、不透明部分（Ｙ）と重なっているように視認される部分を有することを特徴とする吸収性物品包装体（１０）のパッケージ（１００）である。【選択図】図１
2019156465.tif 000002
【特許請求の範囲】
【請求項１】
生理用ナプキン、パンティーライナー、又は吸収パッドである吸収性物品が包装材で包装された状態の吸収性物品包装体と、
前記吸収性物品包装体を収容する袋体と、
を有する吸収性物品包装体のパッケージであって、
前記吸収性物品包装体は動物図柄を有し、
前記袋体は、ある面に識別図柄及び前記動物図柄と同じ種類の動物の袋体動物図柄とを有し、
前記識別図柄は、文字と前記文字を囲む縁取りを有し、
前記袋体動物図柄は、前記文字には重なっていないように視認され、且つ、前記縁取りに重なっているように視認されることを特徴とする吸収性物品包装体のパッケージ。
【請求項２】
生理用ナプキン、パンティーライナー、又は吸収パッドである吸収性物品が包装材で包装された状態の吸収性物品包装体と、
前記吸収性物品包装体を収容する袋体と、
を有する吸収性物品包装体のパッケージであって、
前記吸収性物品包装体は動物図柄を有し、
前記袋体は、ある面に、透明部分、不透明部分及び前記動物図柄と同じ種類の動物の袋体動物図柄とを有し、
前記袋体動物図柄が、前記透明部分と重なっているように視認される部分と、前記不透明部分と重なっているように視認される部分を有することを特徴とする吸収性物品包装体のパッケージ。
【請求項３】
請求項１又は２に記載の吸収性物品包装体のパッケージであって、
前記袋体動物図柄は上下方向を有し、
前記袋体は商品名表示を有し、
前記袋体動物図柄の上側と前記袋体の商品名表示の上側が同じ方向であることを特徴とする吸収性物品包装体のパッケージ。
【請求項４】
請求項１から３のいずれか１項に記載の吸収性物品包装体のパッケージであって、
前記吸収性物品は、展開状態において、前後方向を有し、
前記動物図柄は、前記包装材に設けられた包装動物図柄を有し、
前記吸収性物品の前側と前記包装動物図柄の上側が同じ方向であることを特徴とする吸収性物品包装体のパッケージ。
【請求項５】
請求項１から４のいずれか１項に記載の吸収性物品包装体のパッケージであって、
前記動物図柄は、前記吸収性物品に設けられた本体動物図柄を有し、
前記吸収性物品は、展開状態において、前後方向を有し、
前記本体動物図柄は、上下方向を有し、
前記吸収性物品の前側と前記本体動物図柄の上側が同じ方向であることを特徴とする吸収性物品包装体のパッケージ。
【請求項６】
請求項１から５のいずれか１項に記載の吸収性物品包装体のパッケージであって、
前記動物図柄は、前記吸収性物品に設けられた本体動物図柄と、前記包装材に設けられた包装動物図柄を有し、
前記吸収性物品は、展開状態において、前後方向を有し、
前記本体動物図柄及び前記包装動物図柄は、それぞれ上下方向を有し、
前記吸収性物品の前側と、前記本体動物図柄の上側と、前記包装動物図柄の上側は同じ方向であることを特徴とする吸収性物品包装体のパッケージ。
【請求項７】
請求項１から６のいずれか１項に記載の吸収性物品包装体のパッケージであって、
前記袋体は、前記ある面とは異なる面に前記吸収性物品包装体を取り出すための取り出し口を有することを特徴とする吸収性物品包装体のパッケージ。
【請求項８】
請求項１から７のいずれか１項に記載の吸収性物品包装体のパッケージであって、
前記動物図柄は、前記吸収性物品包装体に設けられた包装動物図柄を有し、
前記袋体動物図柄と前記包装動物図柄は異なる図柄であることを特徴とする吸収性物品包装体のパッケージ。
【請求項９】
請求項１から８のいずれか１項に記載の吸収性物品包装体のパッケージであって、
前記袋体動物図柄は複数設けられており、
複数の前記袋体動物図柄の動物は、互いに異なる姿勢であることを特徴とする吸収性物品包装体のパッケージ。
【請求項１０】
請求項２から９のいずれか１項に記載の吸収性物品包装体のパッケージであって、
前記動物図柄は、前記吸収性物品包装体に設けられた包装動物図柄を有し、
前記包装動物図柄の少なくとも一部は、前記透明部分から視認可能であることを特徴とする吸収性物品包装体のパッケージ。
【請求項１１】
請求項１０に記載の吸収性物品包装体のパッケージであって、
前記吸収性物品包装体は、１つ以上の折り畳み部を有しており、
前記包装動物図柄の少なくとも一部は、前記折り畳み部と重なっており、
前記包装動物図柄の上下方向が、前記折り畳み部に沿っていることを特徴とする吸収性物品包装体のパッケージ。
【請求項１２】
請求項１０又は１１に記載の吸収性物品包装体のパッケージであって、
前記袋体動物図柄の色は、前記透明部分から視認可能である前記包装動物図柄の色よりも濃いことを特徴とする吸収性物品包装体のパッケージ。
【請求項１３】
請求項２から１２のいずれか１項に記載の吸収性物品包装体のパッケージであって、
前記透明部分は、前記袋体動物図柄によって複数の領域に区画されていることを特徴とする吸収性物品包装体のパッケージ。
【発明の詳細な説明】
【技術分野】
【０００１】
本発明は、吸収性物品包装体のパッケージに関する。
【背景技術】
【０００２】
着用者の着衣に固定して使用する吸収性物品として、生理用ナプキン、パンティーライナー、及び吸収パッドが知られている。これらの吸収性物品を使用する際には、着用者は煩わしいと感じたりする場合がある。特に、生理用ナプキンは、女性の生理期間中に使用する吸収性物品であるため、生理用ナプキンに対してネガティブな感情を持っている人もいる。この点、特許文献１において、生理用ナプキン２０の身体に接触する層３０を通して見ることができるグラフィック６５を設けることで、女性の憂鬱な気分を軽減させる方法が開示されている。
【先行技術文献】
【特許文献】
【０００３】
【特許文献１】特表２００５−５２３１３９号
【発明の概要】
【発明が解決しようとする課題】
【０００４】
しかしながら、特許文献１に示された生理用ナプキン２０のグラフィック６５は幾何学模様であるため、使用者は単なる背景として感じてしまったり、短期間で見慣れたものとなってしまったりして、生理用ナプキンに対するネガティブな感情を軽減させることが困難な場合を生じていた。
【０００５】
本発明は、上記のような従来の問題に鑑みてなされたものであって、その目的は、吸収性物品に対する愛着を向上させやすくなる吸収性物品包装体のパッケージを提供することにある。
【課題を解決するための手段】
【０００６】
上記目的を達成するための主たる発明は、生理用ナプキン、パンティーライナー、又は吸収パッドである吸収性物品が包装材で包装された状態の吸収性物品包装体と、前記吸収性物品包装体を収容する袋体と、を有する吸収性物品包装体のパッケージであって、前記吸収性物品包装体は動物図柄を有し、前記袋体は、ある面に識別図柄及び前記動物図柄と同じ種類の動物の袋体動物図柄とを有し、前記識別図柄は、文字と前記文字を囲む縁取りを有し、前記袋体動物図柄は、前記文字には重なっていないように視認され、且つ、前記縁取りに重なっているように視認されることを特徴とする吸収性物品包装体のパッケージである。
また、生理用ナプキン、パンティーライナー、又は吸収パッドである吸収性物品が包装材で包装された状態の吸収性物品包装体と、前記吸収性物品包装体を収容する袋体と、を有する吸収性物品包装体のパッケージであって、前記吸収性物品包装体は動物図柄を有し、前記袋体は、ある面に、透明部分、不透明部分及び前記動物図柄と同じ種類の動物の袋体動物図柄とを有し、前記袋体動物図柄が、前記透明部分と重なっているように視認される部分と、前記不透明部分と重なっているように視認される部分を有することを特徴とする吸収性物品包装体のパッケージである。
本発明の他の特徴については、本明細書及び添付図面の記載により明らかにする。
【発明の効果】
【０００７】
本発明によれば、使用者に動物図柄の印象をより強く感じさせて、吸収性物品に対する愛着を向上させやすくなる。
【図面の簡単な説明】
【０００８】
【図１】図１は、パッケージ１００の斜視図である。
【図２】図２は、展開状態の包装体１０を、ナプキン１の肌側から見た図である。
【図３】図３Ａは、ナプキン１を厚さ方向の肌側から見た正面図である。図３Ｂは、ナプキン１を厚さ方向の非肌側から見た正面図である。
【図４】図４は、包装材１１を内側から見た図である。
【図５】図５は、包装材１１を外側から見た図である。
【図６】図６Ａは、展開状態の包装体１０を第２折り畳み部Ｆ２で折り畳んだ状態を説明する図である。図６Ｂは、図６Ａの状態の包装体１０を第１折り畳み部Ｆ１で折り畳んだ状態を説明する図である。
【図７】図７Ａは、包装状態の包装体１０をテープ１２側から見た図である。図７Ｂは、包装状態の包装体１０をテープ１２側の反対側から見た図である。
【図８】図８は、パッケージ１００を正面から見た図である。
【図９】図９は、第２実施形態における展開状態の包装体１０を、ナプキン１の肌側から見た図である。
【発明を実施するための形態】
【０００９】
本明細書及び添付図面の記載により、少なくとも以下の事項が明らかとなる。
生理用ナプキン、パンティーライナー、又は吸収パッドである吸収性物品が包装材で包装された状態の吸収性物品包装体と、前記吸収性物品包装体を収容する袋体と、を有する吸収性物品包装体のパッケージであって、前記吸収性物品包装体は動物図柄を有し、前記袋体は、ある面に識別図柄及び前記動物図柄と同じ種類の動物の袋体動物図柄とを有し、前記識別図柄は、文字と前記文字を囲む縁取りを有し、前記袋体動物図柄は、前記文字には重なっていないように視認され、且つ、前記縁取りに重なっているように視認されることを特徴とする吸収性物品包装体のパッケージである。
【００１０】
このような吸収性物品包装体のパッケージによれば、吸収性物品包装体と袋体に同じ種類の動物図柄が設けられていることで、使用者に動物図柄の印象をより強く感じさせて、吸収性物品に対する愛着を向上させやすくなる。
【００１１】
生理用ナプキン、パンティーライナー、又は吸収パッドである吸収性物品が包装材で包装された状態の吸収性物品包装体と、前記吸収性物品包装体を収容する袋体と、を有する吸収性物品包装体のパッケージであって、前記吸収性物品包装体は動物図柄を有し、前記袋体は、ある面に、透明部分、不透明部分及び前記動物図柄と同じ種類の動物の袋体動物図柄とを有し、前記袋体動物図柄が、前記透明部分と重なっているように視認される部分と、前記不透明部分と重なっているように視認される部分を有することを特徴とする吸収性物品包装体のパッケージである。
【００１２】
このような吸収性物品包装体のパッケージによれば、透明部分と不透明部分に跨ったように見える動物図柄と同じ動物図柄が吸収性物品包装体に設けられていることで、使用者に動物図柄の印象をより強く感じさせて、吸収性物品に対する愛着を向上させやすくなる。
【００１３】
かかる吸収性物品包装体のパッケージであって、前記袋体動物図柄は上下方向を有し、前記袋体は商品名表示を有し、前記袋体動物図柄の上側と前記袋体の商品名表示の上側が同じ方向であることが望ましい。
【００１４】
このような吸収性物品包装体のパッケージによれば、使用者に吸収性物品包装体のパッケージの上下方向を認識させやすくすることができる。
【００１５】
かかる吸収性物品包装体のパッケージであって、前記吸収性物品は、展開状態において、前後方向を有し、前記動物図柄は、前記包装材に設けられた包装動物図柄を有し、前記吸収性物品の前側と前記包装動物図柄の上側が同じ方向であることが望ましい。
【００１６】
このような吸収性物品包装体のパッケージによれば、吸収性物品の前後方向を認識しやすくなるため、吸収性物品を使用する際に使用者に前後方向を意識させやすくなる。
【００１７】
かかる吸収性物品包装体のパッケージであって、前記動物図柄は、前記吸収性物品に設けられた本体動物図柄を有し、前記吸収性物品は、展開状態において、前後方向を有し、
前記本体動物図柄は、上下方向を有し、前記吸収性物品の前側と前記本体動物図柄の上側が同じ方向であることが望ましい。
【００１８】
このような吸収性物品包装体のパッケージによれば、吸収性物品の上下方向を認識させやすくなるため、吸収性物品を使用する際に使用者に上下方向を認識させやすくなる。
【００１９】
かかる吸収性物品包装体のパッケージであって、前記動物図柄は、前記吸収性物品に設けられた本体動物図柄と、前記包装材に設けられた包装動物図柄を有し、前記吸収性物品は、展開状態において、前後方向を有し、前記本体動物図柄及び前記包装動物図柄は、それぞれ上下方向を有し、前記吸収性物品の前側と、前記本体動物図柄の上側と、前記包装動物図柄の上側は同じ方向であることが望ましい。
【００２０】
このような吸収性物品包装体のパッケージによれば、使用者に吸収性物品の上下方向を意識させやすくすることができる。
【００２１】
かかる吸収性物品包装体のパッケージであって、前記袋体は、前記ある面とは異なる面に前記吸収性物品包装体を取り出すための取り出し口を有することが望ましい。
【００２２】
このような吸収性物品包装体のパッケージによれば、袋体動物図柄が分断される恐れを軽減させることができるため、使用者に動物図柄の印象をより強く感じさせて、吸収性物品に対する愛着を向上させやすくなる。
【００２３】
かかる吸収性物品包装体のパッケージであって、前記動物図柄は、前記吸収性物品包装体に設けられた包装動物図柄を有し、前記袋体動物図柄と前記包装動物図柄は異なる図柄であることが望ましい。
【００２４】
このような吸収性物品包装体のパッケージによれば、同じ種類の動物図柄について、袋体と包装材に異なる図柄で表示することで、使用者に動物図柄の印象をより強く感じさせて、吸収性物品に対する愛着を向上させやすくなる。
【００２５】
かかる吸収性物品包装体のパッケージであって、前記袋体動物図柄は複数設けられており、複数の前記袋体動物図柄の動物は、互いに異なる姿勢であることが望ましい。
【００２６】
このような吸収性物品包装体のパッケージによれば、同じ種類の動物図柄の動物が、異なる姿勢の図柄であることで、使用者に動物図柄の印象をより強く感じさせて、吸収性物品に対する愛着を向上させやすくなる。
【００２７】
かかる吸収性物品包装体のパッケージであって、前記動物図柄は、前記吸収性物品包装体に設けられた包装動物図柄を有し、前記包装動物図柄の少なくとも一部は、前記透明部分から視認可能であることが望ましい。
【００２８】
このような吸収性物品包装体のパッケージによれば、同じ種類の動物図柄について、袋体だけでなく包装材にも同じ種類の動物図柄が設けられていることを吸収性物品包装体のパッケージの外観から認識することができるため、使用者に動物図柄の印象をより強く感じさせて、吸収性物品に対する愛着を向上させやすくなる。
【００２９】
かかる吸収性物品包装体のパッケージであって、前記吸収性物品包装体は、１つ以上の折り畳み部を有しており、前記包装動物図柄の少なくとも一部は、前記折り畳み部と重なっており、前記包装動物図柄の上下方向が、前記折り畳み部に沿っていることが望ましい。
【００３０】
このような吸収性物品包装体のパッケージによれば、使用者に包装動物図柄を視認しやすくさせることができる。
【００３１】
かかる吸収性物品包装体のパッケージであって、前記袋体動物図柄の色は、前記透明部分から視認可能である前記包装動物図柄の色よりも濃いことが望ましい。
【００３２】
このような吸収性物品包装体のパッケージによれば、袋体の袋体動物図柄を使用者により印象強く感じさせて、吸収性物品に対する愛着を向上させやすくなる。
【００３３】
かかる吸収性物品包装体のパッケージであって、前記透明部分は、前記袋体動物図柄によって複数の領域に区画されていることが望ましい。
【００３４】
このような吸収性物品包装体のパッケージによれば、袋体の袋体動物図柄を使用者により印象強く感じさせて、吸収性物品に対する愛着を向上させやすくなる。
【００３５】
＝＝＝第１実施形態＝＝＝
以下、本発明に係る吸収性物品包装体として生理用ナプキンの包装体を例に挙げて実施形態を説明するが、吸収性物品は、生理用ナプキンに限らず、パンティーライナー、又は吸収パッドのように、使用者の着衣に固定して使用する吸収性物品であってもよい。
【００３６】
＜＜パッケージ１００＞＞
図１は、パッケージ１００の斜視図である。図１に示すように、パッケージ（「吸収性物品包装体のパッケージ」ともいう。）１００は、包装用の袋体１０１に複数の包装体（「吸収性物品包装体」ともいう。）１０、１０、・・・が収容されたものである。本実施形態においては、１つのパッケージ１００に８個の包装体１０が収容されている。パッケージ１００は、互いに直交する上下方向、左右方向、及び前後方向を有する。パッケージ１００のうち、商品名表示Ｎが設けられている前側の面を正面とする。袋体１０１の上面部分には、包装体１０を取り出すための取り出し口１０２が設けられている。取り出し口１０２は、左右方向に沿った複数のスリットによる切り取り線であり、包装体１０をパッケージ１００から取り出す際に切り取り線に沿って取り出し口を開封して包装体１０を取り出すことができる。パッケージ１００の詳細については、後述する。
【００３７】
＜＜包装体１０＞＞
図２は、展開状態の包装体１０を、ナプキン１の肌側から見た図である。図３Ａは、ナプキン１を厚さ方向の肌側から見た正面図であり、図３Ｂは、ナプキン１を厚さ方向の非肌側から見た正面図である。図４は、包装材１１を内側から見た図である。図５は、包装材１１を外側から見た図である。図６Ａは、展開状態の包装体１０を第２折り畳み部Ｆ２で折り畳んだ状態を説明する図であり、図６Ｂは、図６Ａの状態の包装体１０を第１折り畳み部Ｆ１で折り畳んだ状態を説明する図である。図７Ａは、包装状態の包装体１０をテープ１２側から見た図であり、図７Ｂは、包装状態の包装体１０をテープ１２側の反対側から見た図である。
【００３８】
包装体１０は、生理用ナプキン（以下、「ナプキン」ともいう。）１、中央保護シート１５、及びウイング保護シート１６を備える。図２に示すように、展開状態の包装体１０は、下から順に図４及び図５に示す包装材１１、中央保護シート１５、図３Ａ及び図３Ｂに示すナプキン１、及びウイング保護シート１６が重ねて配置されている。
【００３９】
中央保護シート１５及びウイング保護シート１６は、それぞれ中央粘着部６及びウイング粘着部７を保護するためのシート部材である。中央保護シート１５及びウイング保護シート１６の表面には、シリコン樹脂等を用いた剥離加工が施されており、中央粘着部６及びウイング粘着部７に対して剥離可能となっている。図２等において、中央保護シート１５及びウイング保護シート１６を便宜上、左斜め下の斜線のハッチングで示している。中央保護シート１５及びウイング保護シート１６は、それぞれ光透過性が高く、包装材１１の内側の面１１ａに重ねた場合、後述の包装動物図柄ｍを中央保護シート１５及びウイング保護シート１６越しに視認することが可能である。
【００４０】
そして、図６Ａに示すように、この展開状態の包装体１０について、ナプキン１のウイング部１Ｗ（後述）を幅方向の内側に折り畳んだ状態を形成し、続いて、図６Ｂに示すように、ナプキン１の肌側を内側にして、第２折り畳み部Ｆ２で折り畳んだ状態を形成する。その後、第１折り畳み部Ｆ１で折り畳んで、幅方向の端部に熱融着等の処理を行い、包装材１１の長手方向の端部をテープ１２で係止することで、図７Ａ及び図７Ｂに示す包装状態の包装体１０となる。
【００４１】
なお、「展開状態」とは、包装状態の包装体１０の係止や熱融着を解除して包装体１０を開封し、各部材を折り目がない状態、つまり、第１及び第２折り畳み部Ｆ１、Ｆ２やウイング部１Ｗの折り畳まれた部分を全て広げて展開した状態をいう。
【００４２】
＜＜ナプキン１＞＞
ナプキン１は、互いに直交する長手方向、幅方向、及び厚さ方向を有する。また、ナプキン１の長手方向において、使用者の下腹部に当接する側を「前側」といい、使用者の臀部に当接する側を「後側」という。また、ナプキン１の厚さ方向において、使用者の肌に当接する側を「肌側」といい、その反対側を「非肌側」という。
【００４３】
ナプキン１は、長手方向の中央部から幅方向の両外側に延出した一対のウイング部１Ｗを有している。以下、ナプキン１の長手方向において、ウイング部１Ｗが設けられた部分を中央部１Ｂ、中央部１Ｂより前側の部分を前側部１Ａ、中央部１Ｂより後側の部分を後側部１Ｃという。
【００４４】
ナプキン１は、厚さ方向の肌側から順に、肌側シート２と、吸収体４と非肌側シート３が積層され、接着剤等で接合されている。
【００４５】
肌側シート２は、液透過性のシート部材であり、エアスルー不織布等を例示できる。非肌側シート３は、液不透過性のシート部材であり、ポリエチレン（ＰＥ）の樹脂フィルム等を例示できる。肌側シート２及び非肌側シート３は、平面サイズが吸収体４よりも大きく、吸収体４の平面全体を覆っている。
【００４６】
吸収体４は、排泄物を吸収して内部に保持する部材である。吸収体４は、パルプ繊維等の液体吸収性繊維や、液体吸収性繊維に高吸収性ポリマー（所謂ＳＡＰ）を含有するものから構成されている。
【００４７】
ナプキン１は、本体動物図柄５を有している。本体動物図柄５は、圧搾部により形成されている。圧搾部は、吸収体４と、吸収体４よりも肌側に設けられているシート部材（肌側シート２）とをともに圧縮することによって設けられている。そして、複数の円形の圧搾部は猫の動物図柄を表している。図３Ａに示すように、本体動物図柄５は、前側部１Ａは猫の頭部、中央部１Ｂは猫の胴部、後側部１Ｃは猫の脚部及び尻尾を表している。図３Ａ等において、後側部１Ｃの猫の尻尾部分は、複数の圧搾部が略長手方向に沿った第１圧搾領域と第２圧搾領域を有している。第１圧搾領域と第２圧搾領域は、より中央部１Ｂに近い部分で連続している。第２折り畳み部Ｆ２において吸収体４を幅方向に３等分し、左側領域、中央領域、右側領域に分けた場合のいずれかの領域において、第１圧搾領域及び第２圧搾領域が設けられている。本実施形態においては、第１圧搾領域及び第２圧搾領域は、それぞれ第２折り畳み部Ｆ２と交差している。着用者の臀部に該当する部分に、１対の圧搾領域である第１圧搾領域と第２圧搾領域とが設けられている。第１圧搾領域と第２圧搾領域が設けられた部分は、より剛性が高くなっていることから、ナプキン１の使用によってナプキン１の臀部の形状が崩れてしまう恐れをより軽減することができる。また、圧搾部による本体動物図柄５の猫の尻尾部分の形状を維持しやすくなるため、使用後においても、本体動物図柄５の猫の図柄を視認しやすくなる。
【００４８】
ナプキン１の非肌側面（つまり、非肌側シート３の非肌側面）には、中央粘着部６が設けられている。中央粘着部６は、長手方向は、中央部１Ｂ、及び中央部１Ｂを前側及び後側に延出する領域で、且つ、幅方向の中央領域に設けられている。中央粘着部６は、ナプキン１の使用時に下着等の着衣の肌側面に貼り付けられる。これによって、ナプキン１は下着等に固定される。
【００４９】
同様に、ウイング部１Ｗの厚さ方向の非肌側面には、ウイング粘着部７が設けられている。ナプキン１の使用時にウイング部１Ｗは非肌側に折り曲げられ、ウイング粘着部７は、下着等の非肌側面に張り付けられる。これにより、ウイング部１Ｗは下着等に固定される。
【００５０】
＜＜包装材１１＞＞
包装材１１は、ナプキン１を個別に包装するシート部材であり、不織布や不織布をラミネート加工したフィルム等から形成されている。包装材１１は、プラスチックフィルム、ナイロンフィルム等の各種フィルム等から形成していてもよい。包装材１１には、内側の面１１ａに中央保護シート１５及びウイング保護シート１６が接着剤等により接合されている。
【００５１】
図４に示すように、包装材１１の内側の面１１ａには複数の包装動物図柄ｍが設けられている。包装材１１の「内側の面１１ａ」とは、図７Ａ及び図７Ｂに示すように、包装材１１の面のうち、包装状態において、外部に露出しない面をいう。一方、包装材１１の面のうち、包装状態において、外部に露出する面を有する面を「外側の面１１ｂ」という。図４に示すように、包装動物図柄ｍは内側の面１１ａに印刷されている。図５に示すように、外側の面１１ｂ側から包装材１１を見ると、内側の面１１ａに印刷された包装動物図柄ｍを包装材１１を透かして見ることができる。このため、外側の面１１ｂ側から見える包装動物図柄ｍの色は、内側の面１１ａ側から見える包装動物図柄ｍの色よりも薄い。
【００５２】
複数の包装動物図柄ｍは、同じ図柄である。つまり、複数の包装動物図柄ｍは、同じ形状で、同じ色を有している。具体的には、全て首にリボンを付けた黒猫の、座った姿勢の後ろ姿の動物図柄である。また、包装動物図柄ｍは、略規則正しく、千鳥状に配置されている。
【００５３】
なお、包装動物図柄ｍは、黒色を多く取り入れた図柄であることがより好ましい。黒色は、オストワルト表色系の色相環に含まれない無彩色である。そのため、補色がなく、包装材１１がどんな色であっても包装動物図柄ｍが視認しやすい図柄とすることができる。
【００５４】
なお、包装材１１には、包装動物図柄ｍ以外にも、複数の円形図柄ｃとナプキン１の識別表示ｔが背景図柄として設けられている。
【００５５】
＜＜パッケージ１００及び包装体１０がそれぞれ備える図柄について＞＞
図８は、パッケージ１００を正面から見た図である。パッケージ１００は、袋体１０１と複数の包装体１０から構成されている。パッケージ１００の正面（ある面）において、透明部分Ｘ、不透明部分Ｙ、識別表示Ｔ、商品名表示Ｎ、袋体動物図柄Ａ１、Ａ２を備える袋体１０１を視認することができる。図８において、便宜上、透明部分Ｘと不透明部分Ｙの境界を太線で示している。また、パッケージ１００の側面及び天面についても不透明部分Ｙとして図示しているが、適宜変更可能である。
【００５６】
透明部分Ｘは、袋体１０１の光透過率の高い部分をいい、パッケージ１００に収容された内容物をパッケージ１００の外側から視認することができる部分である。つまり、パッケージ１００の中の包装体１０を、袋体１０１を通して視認することができる部分である。
【００５７】
不透明部分Ｙは、袋体１０１の光透過率の低い部分をいい、パッケージ１００として収容した内容物である包装体１０をパッケージ１００の外側から視認しづらい部分である。つまり、パッケージ１００の中の包装体１０を、袋体１０１を通して視認することが困難な部分である。また、不透明部分Ｙは、袋体動物図柄Ａ１、Ａ２を除く部分である。本実施形態においては、無色透明な透明部分Ｘの周囲を囲む略矩形部分より外側の領域をピンク色としている。
【００５８】
識別表示（識別図柄）Ｔは、使用者、購入者又は販売者等に対し、包装体１０又はパッケージ１００の出所を識別するための図柄である。識別表示Ｔは、「Ｃｅｎｔｅｒ−ｉｎ」の文字Ｔｗと、文字Ｔｗの周囲を囲む縁取りＴｆを有している。
【００５９】
商品名表示Ｎは、包装体１０又はパッケージ１００の商品の呼称の表示である。商品名表示Ｎは、「Ｈａｐｐｙ  Ｃａｔｃｈ」の文字Ｎｗと、文字Ｎｗの周囲を囲む縁取りＮｆを有している。なお、識別表示Ｔ及び商品名表示Ｎは、不透明部分Ｙでもある。
【００６０】
袋体動物図柄Ａ１は、黒猫が伸びをしている姿の図柄である。ただし、図８に示すように、袋体動物図柄Ａ１は、透明部分Ｘと重なっているように視認される部分と、不透明部分Ｙと重なっているように視認される部分を有しており、使用者には、袋体動物図柄Ａ１が、透明部分Ｘと不透明部分Ｙとの境界を跨ぐように位置しているように視認することができる。これによって、使用者は、袋体動物図柄Ａ１の黒猫の動きや黒猫の躍動感を実感しやすくなり、袋体図柄Ａ１の印象をより強く感じやすくなる。
【００６１】
また、包装体１０は、袋体動物図柄Ａ１と同じ動物の種類である猫の動物図柄を備えている。具体的には、包装体１０のうち、包装材１１は複数の包装動物図柄ｍを備え、ナプキン１は本体動物図柄５を備えている。袋体動物図柄Ａ１のより強い印象を受けた使用者が、パッケージ１００を開封した時や、ナプキン１を使用する時などに、包装体１０に備えられた動物図柄を視認すると、包装体１０の動物図柄により関心を持ちやすくなったり、より親しみを感じたりする。これによって、使用者に、使用するナプキン１に対して愛着を感じやすくさせることができる。
【００６２】
袋体動物図柄Ａ２も袋体動物図柄Ａ１と同様に黒猫の図柄であり、透明部分Ｘと重なっているように視認される部分と不透明部分Ｙと重なっているように視認される部分とを有している。図８等に示すように、袋体動物図柄Ａ１の黒猫の姿勢と袋体動物図柄Ａ２の黒猫の姿勢が、互いに異なっていることがより好ましい。これによって、使用者に黒猫の印象をより強く与えやすくなり、袋体１０１の中に収容された包装体１０やナプキン１に対して愛着を感じさせやすくなる。
【００６３】
また、袋体動物図柄Ａ２が、識別表示Ｔの縁取りＴｆに重なっているように視認され、文字Ｔｗには重なっていないように視認される。具体的には、袋体動物図柄Ａ２である黒猫が、縁取りＴｆを手で抱えているように見える一方、袋体動物図柄Ａ２の黒猫が、文字Ｔｗに接していないように見える。識別表示Ｔは、商品の出所を表示する機能を発揮するために設けているため、その全体を表示することが求められる。特に、識別表示Ｔにおいては、「Ｃｅｎｔｅｒ−ｉｎ」の文字が特に識別力を発揮する部分であるため、袋体動物図柄Ａ２で覆い隠してしまうことがないようにしている。一方、縁取りＴｆは、文字Ｔｗよりも識別力が低いことから、袋体動物図柄Ａ２と重なるように視認される部分を設けることで、識別表示Ｔと袋体動物図柄Ａ２とが関連する商品であるように使用者に感じさせやすくなる。本実施形態のように、袋体動物図柄Ａ２の黒猫が識別表示Ｔを手で抱えているように見えることで、親しみを感じやすい動物である黒猫が、識別表示Ｔが示すブランドを大切にしている印象を使用者に感じさせることができ、使用者に識別表示Ｔが持つ商品の信頼をより感じやすくさせることができる。
【００６４】
包装体１０には、袋体動物図柄Ａ１と同様に、袋体動物図柄Ａ２と同じ動物の種類である猫の動物図柄（包装動物図柄ｍ、本体動物図柄５）を備えている。袋体動物図柄Ａ２によって感じた信頼の印象を、パッケージ１００を開封した時や、ナプキン１を使用する時などに、包装体１０に備えられた動物図柄を視認すると、使用者に包装体１０の動物図柄に対してより信頼を抱かせたり、より親しみを感じさせたりすることができる。これによって、使用するナプキン１に対して安心や愛着を感じさせやすくさせることができる。
【００６５】
特に、パッケージ１００の購入時に店頭等で袋体動物図柄Ａ１、Ａ２に注意を惹かれ、パッケージ１００のデザインを気に入って購入したような場合において、パッケージ１００だけでなく、包装体１０にも気に入ったデザインに関連する動物図柄が設けられている。これによって、購入時だけでなく、使用時においても動物図柄を見る機会が設けられ、使用者はナプキン１に対して愛着を感じやすくなる。
【００６６】
図１に示すように、袋体動物図柄Ａ１、Ａ２の上側と、袋体１０１の商品名表示Ｎの上側とが同じ方向である。つまり、袋体動物図柄Ａ１、Ａ２の黒猫の上側と、パッケージ１００の上側とが同じ方向である。商品名表示Ｎの上下方向とは、文字Ｎｗの文字としての一般的な上下方向をいう。これによって、使用者に、パッケージ１００の上下方向を認識しやすくさせることができる。
【００６７】
また、袋体１０１は、パッケージ１００の正面に当たる面に袋体動物図柄Ａ１、Ａ２を備え、パッケージ１００の上面に当たる面に取り出し口１０２を備えている。そのため、袋体動物図柄Ａ１、Ａ２が取り出し口１０２の開封によって分断されてしまう恐れを軽減させることができ、使用者に対する袋体動物図柄Ａ１、Ａ２による印象が軽減してしまう恐れを軽減させることができる。
【００６８】
図４や図８等に示すように、包装動物図柄ｍと袋体動物図柄Ａ１、Ａ２は、異なる図柄であることが好ましい。同じ種類の動物である猫の図柄について、使用者は、より多くのデザインを視認することができるため、使用者に猫の図柄の印象をより強く与えるやすくなる。本実施形態において、包装材１１の包装動物図柄ｍは、座っている黒猫の後姿の図柄であるため、使用者により落ち着いた印象を与える一方、袋体１０１は、伸びをしている姿勢の黒猫の袋体動物図柄Ａ１と識別表示Ｔを抱えている姿勢の黒猫の袋体動物図柄Ａ２であり、使用者によりアクティブな印象を与えやすい。これによって、商品を購入する際等に視認されることが多い袋体動物図柄Ａ１、Ａ２はアクティブな印象を購入者（使用者）に与えて、購入を促しやすくすることができる。一方、包装体１０を使用する際は、女性は生理期間であり、憂鬱な気分であることが多いため、落ち着いた図柄である包装動物図柄ｍによって、使用者により安心や癒しを与えやすくすることができる。
【００６９】
図８に示すように、パッケージ１００を正面から見ると、透明部分Ｘから中に収容された包装体１０の一部を視認することができ、包装動物図柄ｍの一部を視認することができることが好ましい。パッケージ１００の中に包装体１０が収容された状態でも、袋体１０１だけでなく、包装体１０にも動物図柄が設けられていることを認識することができる。そのため、袋体動物図柄Ａ１、Ａ２と同じ種類の動物である猫の図柄を有する包装体１０の動物図柄の印象をより強く感じさせやすくなり、ナプキン１に対する愛着を感じさせやすくなる。また、購入等において気に入った包装動物図柄Ａ１、Ａ２に関連する図柄が収容物である包装体１０にも設けられていることをパッケージ１００の状態で認識することができるため、ナプキン１を使用する際に包装体１０を見る楽しみを抱かせやすくなる。
【００７０】
なお、包装動物図柄ｍの少なくとも一部が第１折り畳み部Ｆ１又は第２折り畳み部Ｆ２と重なっていることがより好ましい。第１折り畳み部Ｆ１及び第２折り畳み部Ｆ２は、それぞれ所定の面積を有する領域である。第１折り畳み部Ｆ１又は第２折り畳み部Ｆ２のいずれか一方は、包装体１０が収容されたパッケージ１００において、透明部分Ｘから視認することができる部分である。図８においては、図７Ａに示す包装体１０の右側から、図７Ｂに示す包装体１０の左側から見た包装体１０の第１折り畳み部Ｆ１が、透明部分Ｘから視認可能となっている。
【００７１】
このとき、透明部分Ｘから視認可能である第１折り畳み部Ｆ１における包装動物図柄ｍの上下方向が、第１折り畳み部Ｆ１に沿っていることが好ましい。さらに、包装動物図柄ｍの上側が、透明部分Ｘの上側と同じ方向であることがより好ましい。これによって、透明部分Ｘから視認することができる包装動物図柄ｍが黒猫の図柄であるということを認識しやすくなる。
【００７２】
さらに、袋体動物図柄Ａ１、Ａ２の色が、透明部分Ｘから視認可能な包装動物図柄ｍの色よりも濃いことがより好ましい。本実施形態においては、包装材１１の外側の面１１ｂにおける包装動物図柄ｍの色は薄いものとなっている。一方、袋体の外側の面に印刷を施した袋体動物図柄Ａ１、Ａ２の色は濃い。これによって、袋体１０１の袋体動物図柄Ａ１、Ａ２の印象を使用者により強く感じさせることができる。特に、購入時においては、使用者が袋体１０１のデザインによって購入を決定することがあるため、袋体動物図柄Ａ１、Ａ２の色をより濃くすることが好ましい。
【００７３】
また、透明部分Ｘが、袋体動物図柄Ａ１又は袋体動物図柄Ａ２によって複数の領域に区画されていることがより好ましい。図８に示す袋体１０１には、袋体動物図柄Ａ２によって区画された区画部Ｘａ、Ｘｂ、Ｘｃが設けられている。これによって、使用者に、袋体動物図柄Ａ２が透明部分Ｘと不透明部分Ｙとに跨っているような印象を与えやすくなり、袋体動物図柄Ａ２の印象をより強く与えやすくなる。
【００７４】
＝＝＝第２実施形態＝＝＝
第１実施形態においては、図２に示すように、ナプキン１の上下方向に直交するような包装動物図柄ｍの動物図柄の上下方向を設けたが、これに限られない。図９は、第２実施形態における展開状態の包装体１０を、ナプキン１の肌側から見た図である。
【００７５】
図９に示すように、展開状態の包装体１０において、ナプキン１の前側と包装材１１の包装動物図柄ｍの上側が同じ方向であってもよい。つまり、ナプキン１の前後方向と包装材１１の上下方向を同じ方向としてもよい。これによって、ナプキン１の使用時において、使用者にナプキンの前後方向を認識させやすくなり、正しい装着方法での装着をさせやすくなる。ナプキン１に「前側」「後側」の文字や矢印を設けると、使用者は装着方法を義務付けられているように感じ、嫌悪感を覚える場合がある。この点、包装動物図柄ｍを用いて前後方向を認識させることで、使用者のナプキン１に対する感情をよりポジティブなものにしやすくなる。
【００７６】
また、展開状態において、ナプキン１の前側と、本体動物図柄５の上側が同じ方向であることがより好ましい。つまり、図９において、ナプキン１の前側に本体動物図柄５の猫の頭部が設けられ、ナプキン１の後側に猫の脚部及び尻尾が設けられている。これによって、ナプキン１を使用する際に、ナプキン１の前後方向を認識しやすくなる。特に、ナプキン１を包装材１１から分離させた後、ナプキン１単体での前後方向を認識しやすくなるため、使用者に正しい使用方法での使用をさせやすくなる。
【００７７】
なお、図９のように、展開状態において、ナプキン１の前側と、包装材１１の包装動物図柄ｍの上側と、ナプキン１の本体動物図柄５の上側が全て同じ方向であることがより好ましい。使用者によりナプキン１の前側を認識させやすくなる。また、ナプキン１を複数個使用するにつれて、使用者に対して、包装動物図柄ｍや本体動物図柄５によって包装材１１の上側やナプキン１の前側を潜在的に認識させやすくなる。そして、包装材１１からナプキン１を分離させる方向や着衣に装着させる手順等を習慣化させて、正しい装着に導きやすくなる。
【００７８】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７９】
上述の実施形態においては、袋体１０１、つまりパッケージ１００の正面に、袋体動物図柄Ａ１と袋体動物図柄Ａ２を設けたが、いずれか一方を設けたものであってもよい。
【００８０】
上述の実施形態においては、包装体１０の動物図柄として、包装材１１に設けた包装動物図柄ｍとナプキン１の吸収体４に備えた本体動物図柄５を備えることにしたが、これに限られない。動物図柄は、包装動物図柄ｍ又は本体動物図柄５のいずれか一方でもよいし、中央保護シート１５やウイング保護シート１６、テープ１２に動物図柄を備えてもよい。また、本体図柄５を、ナプキン１のうち、肌側の面（肌側シート２及び吸収体４）に形成するものに限らず、非肌側シート３に設けるものであってもよい。
【００８１】
上述の実施形態においては、中央保護シート１５とウイング保護シート１６を備える包装体１０としたが、これに限られない。例えば、包装材１１をプラスチックフィルム、ナイロンフィルム等の各種フィルム等で構成して、中央保護シート１５又はウイング保護シート１６のいずれか一方のみを用いる構成でもよいし、その両方を用いない構成としてもよい。
【００８２】
上述の実施形態においては、袋体動物図柄Ａ１、Ａ２、包装動物図柄ｍ、本体動物図柄５をそれぞれ猫の図柄として表示したが、これに限られない。猫以外の動物であってもよい。例えば、犬やうさぎ等の動物であってもよい。
【符号の説明】
【００８３】
１  ナプキン（吸収性物品）、
１Ａ  前側部、１Ｂ  中央部、１Ｃ  後側部、１Ｗ  ウイング部、
２  肌側シート、３  非肌側シート、
４  吸収体、５  本体動物図柄（動物図柄）、
６  中央粘着部、７  ウイング粘着部、
１０  包装体（吸収性物品包装体）、
１１  包装材、１１ａ  内側の面（内側になる面）、
１１ｂ  外側の面（外側になる面）、
１２  テープ、１５  中央保護シート、１６  ウイング保護シート、
１００  パッケージ（吸収性物品包装体のパッケージ）、
１０１  袋体、１０２  取り出し口、
Ｆ１  第１折り畳み部、Ｆ２  第２折り畳み部、
ｍ  包装動物図柄（動物図柄）、ｃ  円形図柄、ｔ  識別表示、
Ａ１、Ａ２  袋体動物図柄、
Ｎ  商品名表示、Ｎｗ  文字、Ｎｆ  縁取り、
Ｔ  識別表示（識別図柄）、Ｔｗ  文字、Ｔｆ  縁取り、
Ｘ  透明部分、Ｘａ、Ｘｂ、Ｘｃ  区画部、
Ｙ  不透明部分
【図１】
2019156465.tif 000003
【図２】
2019156465.tif 000004
【図３】
2019156465.tif 000005
【図４】
2019156465.tif 000006
【図５】
2019156465.tif 000007
【図６】
2019156465.tif 000008
【図７】
2019156465.tif 000009
【図８】
2019156465.tif 000010
【図９】
2019156465.tif 000011